(57)【特許請求の範囲】
【請求項１】
ケースと、前記ケース内に配される基板ユニットと、前記ケースの周囲の光の照度を検出する光検出センサと、光を照射するランプユニットとを備えた自転車用前照灯において、
前記ケースは、前記ケースの内周面に形成された締結孔部と、前記ケースの外周面に貫通形成された締結工具用孔部と、前記光検出センサと対向する位置に貫通形成された採光部とを有し、前記締結工具用孔部は、前記採光部を遮蔽する遮蔽部材によって被覆されることを特徴とする自転車用の前照灯。
【請求項２】
有底筒形状のケースと、前記ケース内に配置される略平板形状の基板ユニットと、前記基板ユニット上に配されると共に、前記ケースの周囲の光の照度を検出する光検出センサと、前記ケースの開口周縁部に取り付けられる略放物線形状のランプユニットとを備えた自転車用前照灯において、
前記ケースは、前記ケースの内周面に形成された締結孔部と、前記ケースの外周面に貫通形成されると共に、前記締結孔部の中心を通る仮想線上に配されたスライド孔部と、前記スライド孔部に隣接して貫通形成され、前記光検出センサへの光の導入を許容する採光孔部とを有し、前記スライド孔部には、前記ケースの軸方向に移動可能なスイッチ部材が装着されると共に、前記スイッチ部材を前記採光孔部が遮蔽される位置に停止させる停止部が形成され、前記基板ユニットは、前記締結孔部に配された締結部材によって、前記ケース内に固定されることを特徴とする自転車用の前照灯。
【発明の詳細な説明】
【技術分野】
【０００１】
この発明は、自転車用前照灯に関するものである。
【背景技術】
【０００２】
従来、自転車用前照灯は、有底筒形状のヘッドケースと、ヘッドケースの開口部を覆うランプユニットと、ヘッドケース内に配される制御基板とを有している。ヘッドケースには、制御基盤を支持するための基板ホルダと、リブとが形成されており、制御基盤は、基板ホルダとリブとによって挟持されている。また、反射板の略中央には、主発光体としての電球が装着されており、電球は、制御基板と電気的に接続されている。そして、制御基板には、照度センサ等の制御部品が搭載されている。なお、照度センサは、周囲の明るさを検出するセンサである。したがって、照度センサが、所定の明るさ以上であることを検出すると、電球への電力の供給は遮断され、前照灯は消灯する。反対に、照度センサが、所定の明るさ未満であることを検出すると、電球には電力が供給され、前照灯は点灯する。
【０００３】
なお、照度センサのセンシング部に対向するヘッドケースの部分には、採光孔が形成されており、照度センサは、採光孔を介して、周囲の明るさを検出する。採光孔には、スライド板がスライド可能に装着されており、スライド板は、スライドすることで採光孔を閉塞する位置、または、採光孔を開放する位置に保持される（例えば、特許文献１参照）。
【先行技術文献】
【特許文献】
【０００４】
【特許文献１】特開２００３−１９９８８号公報
【発明の概要】
【発明が解決しようとする課題】
【０００５】
しかしながら、上述の自転車用前照灯のように、制御基板を、基板ホルダとヘッドケースに形成されたリブとによって挟持すると、制御基板は、ヘッドケースに締結固定されることなく配置される。そのため、制御基板部が安定して配置されず、ヘッドケースの振動に応じて、制御基板部は振動する。制御基板部にはリード線が接続されており、制御基板部が振動すると、制御基板に接続されたリード線は振動し、断線する恐れがある。
【０００６】
上述した場合において、制御基板をネジ等の締結部材を用いて、ヘッドケースに確実に固定し保持する構造が考えられる。しかしながら、制御基板をヘッドケースに締結部材を用いて固定するには、ヘッドケース内に、締結用工具を挿入させる必要があり、そのための挿入穴部を形成しなければならない。ヘッドケースに挿入孔部を形成すると、自転車用前照灯の美的外観が損なわれてしまい、需要者の購買意欲を減退させる等の問題があった。
【０００７】
そこで、本発明は、自転車用前照灯の美的外観を損なうことなく、制御ユニットを確実に保持する自転車用前照灯を提供することを目的とする。
【課題を解決するための手段】
【０００９】
請求項１に記載された発明は、ケースと、ケース内に配される基板ユニットと、ケースの周囲の光の照度を検出する光検出センサと、光を照射するランプユニットとを備えた自転車用前照灯において、ケースは、ケースの内周面に形成された締結孔部と、ケースの外周面に貫通形成された締結工具用孔部と、光検出センサと対向する位置に貫通形成された採光部とを有し、締結工具用孔部は、採光部を遮蔽する遮蔽部材によって被覆されることを特徴とする自転車用の前照灯である。
【００１０】
請求項２に記載された発明は、有底筒形状のケースと、ケース内に配置される略平板形状の基板ユニットと、基板ユニット上に配されると共に、ケースの周囲の光の照度を検出する光検出センサと、ケースの開口周縁部に取り付けられる略放物線形状のランプユニットとを備えた自転車用前照灯において、ケースは、ケースの内周面に形成された締結孔部と、ケースの外周面に貫通形成されると共に、締結孔部の中心を通る仮想線上に配されたスライド孔部と、スライド孔部に隣接して貫通形成され、光検出センサへの光の導入を許容する採光孔部とを有し、スライド孔部には、ケースの軸方向に移動可能なスイッチ部材が装着されると共に、スイッチ部材を採光孔部が遮蔽される位置に停止させる停止部が形成され、基板ユニットは、締結孔部に配された締結部材によって、ケース内に固定されることを特徴とする自転車用の前照灯である。
【発明の効果】
【００１１】
本発明によれば、基板ユニットは締結部材によりケースに固定される。そのため、制御ユニットは確実に保持される。また、締結部材が配される締結孔部の中心を通る仮想線上にスライド孔部が配されているため、締結部材をケース内に固定するための締結用工具をスライド孔部から挿入させ、締結作業を行うことができる。そのため、別途締結用工具を挿入するための孔をケースに設ける必要がなく、締結工具が挿入されるスライド孔部はスイッチ部材によって覆われるため、自転車用前照灯の美的外観を損なうことがない。
【図面の簡単な説明】
【００１２】
【図１】本発明の実施形態における自転車用前照灯１の斜視図である。
【図２】本発明の実施形態における自転車用前照灯１の縦断面図である。
【図３】本発明の実施形態における自転車用前照灯１の第１組み付け図である。
【図４】本発明の実施形態における自転車用前照灯１の第２組み付け図である。
【図５】本発明の実施形態における自転車用前照灯１の第３組み付け図である。
【発明を実施するための形態】
【００１３】
本発明の実施形態を、図１、図２に基づいて説明する。図１および図２に示されるように、自転車用前照灯１は、有底筒形状のケース２と、ケース２内に配される基板ユニット３と、ケース２の開口周縁部２５に配されるランプユニット４とを有している。なお、自転車用前照灯１は、基板ユニット３が検出する照度に基づいて、点灯若しくは、消灯する。
【００１４】
ケース２は、ケース２の外周面に形成されたスライドスイッチ部２１と、ケース２の内周面に立設された台座部２４とを有している。ケース２の開口周縁部２５には、ランプユニット４と係合する係合部２７が形成されている。
【００１５】
スライドスイッチ部２１は、ケース２の外周面に貫通形成されたスライド孔部２１ａと、スライド孔部２１ａに隣接して貫通形成された採光孔部２１ｂとを有している。なお、スライド孔部２１ａには、スイッチ部材２３が取り付けられており、採光孔部２１ｂには
、透明の保護カバー２２が装着されている。
【００１６】
ケース２の内周面に立設された台座部２４には、締結孔部２４ａが形成されており、締結孔部２４ａには、締結部材としての螺子５０ａが螺入される。したがって、基板ユニット３がケース２内に挿入されると、基板ユニット３は、台座部２４上に配置され、螺子５０ａによって、ケース２に固定される。
【００１７】
基板ユニット３は、台座部２４上に配置される第１基板部３１と、第１基板部３１と電気的に接続された光検出センサ３２および第１、第２、第３リード線３３ａ、３３ｂ、３３ｃを有している。
【００１８】
第１基板部３１には、貫通孔３１ａが形成されており、螺子５０ａは、貫通孔３１ａを介して、台座部２４に形成された締結孔部２４ａに螺入される。そして、第１基板部３１は、螺子５０ａにより台座部２４に固定される。
【００１９】
第１基板部３１が、台座部２４に固定されると、第１基板部３１に配置された光検出センサ３２は、採光孔部２１ｂと対向する。なお、光検出センサ３２は、採光孔部２１ｂに配された保護カバー２２を介して、ケース２外の照度を検出する。
【００２０】
第１基板部３１と電気的に接続された第１のリード線３３ａは、ケース２の開口周縁部２５に形成されたスリット部２６を介して、ケース２外へ引き出され、自転車のハブダイナモに接続される。また、第２、第３のリード線３３ｂ、ｃは、ランプユニット４と電気的に接続される。すなわち、第１基板部３１は、第１のリード線３３ａを介して、ハブダイナモと電気的に接続され、第２、第３リード線３３ｂ、３３ｃを介して、ランプユニット４と電気的に接続される。
【００２１】
ランプユニット４は、放物線状に形成された反射板４１と、反射板４１の開口周縁部２５に固定された円盤形状のカバー部材４２と、反射板４１に固定された光源ユニット４３とを有しており、ケース２の開口周縁部２５に固定される。光源ユニット４３は、螺子５０ｂによって、反射板４１に固定され、反射板４１の開口周縁部２５には、カバー部材４２が固定される。そして、ランプユニット４をケース２の開口周縁部２５に圧入すると、カバー部材４２に形成された被係合部４１ｂは、ケース２の係合部２７と係合し、ケース２の開口周縁部２５に固定される。
【００２２】
光源ユニット４３は、第２基板部４５と、第２基板部４５と電気的に接続された光源としてのＬＥＤ（Ｌｉｇｈｔ  Ｅｍｉｔｔｉｎｇ  Ｄｉｏｄｅ）４４とを有している。光源ユニット４３が反射板４１に固定されると、ＬＥＤ４４は、反射板４１の略中央に配置される。そして、第２基板部４５は、第２、第３のリード線３３ｂ、ｃを介して、第１基板部３１と電気的に接続される。
【００２３】
したがって、ハブダイナモによって発電がなされると、第１リード線３３ａを介して、第１基板部３１にハブダイナモから電流が供給される。第１基板部３１に供給された電流は、第２リード線３３ｂを介して、第２基板部４５に供給される。そして、第２基板部４５に供給された電流は、第３リード線３３ｃ、第１基板部３１を介して、アース部２８に供給される。
【００２４】
なお、前述したように、第１基板部３１には、光検出センサ３２が電気的に接続されているため、第１基板部３１に供給された電流は、光検出センサ３２が検出した照度に応じて、第２リード線３３ｂを介して、第２基板部４５に供給される。すなわち、光検出センサ３２が検出した照度が、所定の照度に達していない場合には、第１基板部３１は、第２
基板部４５に向かって電流を供給し、光検出センサ３２が検出した照度が、所定の照度を超えている場合には、第１基板部３１は、第２基板部４５に向かって電流を供給することはない。第２基板部４５には、光源ユニット４３のＬＥＤ４４が配置されているため、第２基板部４５に電流が供給されると、ＬＥＤ４４は点灯し、第２基板部４５に電流が供給されないとＬＥＤ４４は消灯する。
【００２５】
さらに、前述したように、スライドスイッチ部２１には、スイッチ部材２３がスライド可能に取り付けられている。スイッチ部材２３が第１の停止部Ｘ１−Ｘ１に移動すると、採光孔部２１ｂは露出し、スイッチ部材２３が第２の停止部Ｘ２−Ｘ２（停止部）まで移動すると、採光孔部２１ｂは遮光される。また、前述したように、光検出センサ３２は、採光孔部２１ｂに対向している。そのため、採光孔部２１ｂがスイッチ部材２３によって遮光されると、光検出センサ３２が検出する照度は、所定の照度に達していないと判断される。そして、第１基板部３１は、第２基板部４５に向かって電流を供給し、ＬＥＤ４４は点灯する。
【００２６】
次に、本発明の構造を示すため、自転車用前照灯１の組みつけ手順について、図３から図５に基づき説明する。
【００２７】
図３に示されるように、基板ユニット３は、ケース２の開口周縁部２５から、ケース２内に挿入され、台座部２４上に配される。基板ユニット３が台座部２４上に配されると、基板ユニット３に形成された貫通孔３１ａは、台座部２４に形成された締結孔部２４ａ上に配される。
【００２８】
図２、図４、図５に示されるように、台座部２４上に配された基板ユニット３は、ケース２の開口周縁部２５から挿入される螺子５０ａによって、ケース２内に固定される。螺子５０ａが螺入される締結孔部２４ａと、スライド孔部２１ａとは、仮想線Ｙ１上に貫通形成されている。そのため、締結用工具５１は、スライド孔部２１ａを介して、ケース２内に挿入される。したがって、作業者は、螺子５０ａの状態を視認しながら、締結用工具５１によって、螺子５０ａを締結孔部２４ａに螺入することができる。そのため、基板ユニット３は、容易に、ケース２に固定される。基板ユニット３が螺子５０ａによって固定されるため、ケース２が振動した場合であっても、基板ユニット３は、ガタつくことはない。
【００２９】
さらに、図５に示されるように、採光孔部２１ｂには、保護カバー２２が装着され、スライド孔部２１ａには、スイッチ部材２３が装着される。すなわち、スライド孔部２１ａは、スイッチ部材２３によって被覆されるため、外部から視認されることはなく、自転車用前照灯１の美的外観が損なわれることはない。
【００３０】
また、本発明の自転車用前照灯１が、自転車に取り付けられると、スライドスイッチ部２１は、下方に配される。そのため、雨水がスライドスイッチ部２１を介して、ケース２内に浸入することはない。
【符号の説明】
【００３１】
１  自転車用の前照灯
２  ケース
３  基板ユニット
４  ランプユニット
２１  スライドスイッチ部
２１ａ  スライド孔部
２１ｂ  採光孔部
２２  保護カバー
２３  スイッチ部材
２４  台座部
２４ａ  締結孔部
２５  開口周縁部
２６  スリット部
２７  係合部
２８  アース部
３１  第１基板部
３１ａ  貫通孔
３２  光検出センサ（センサ）
３３ａ、ｂ、ｃ  第１、第２、第３リード線
４１  反射板
４１ｂ  被係合部
４２  カバー部材
４３  光源ユニット
４４  ＬＥＤ
４５  第２基板部
５０ａ、ｂ  螺子（締結部材）
５１  ドライバー（締結用工具）
【図１】
0005491112.tif 000002
【図２】
0005491112.tif 000003
【図３】
0005491112.tif 000004
【図４】
0005491112.tif 000005
【図５】
0005491112.tif 000006